(57)【要約】【課題】燃料の吸着及び脱離を良好に行いつつ、キャニスタの通気抵抗を抑制する。【解決手段】キャニスタは、車両に搭載され、流入ポートと、大気ポートと、流出ポートと、細長い複数の調整部とを備える。流入ポートは、車両の燃料タンクから１又は複数の室に燃料蒸気を流入させる。また、大気ポートは、車両の外部から、１又は複数の室に大気を流入させる。また、流出ポートは、大気ポートから流入した大気により、吸着材に吸着した燃料蒸気をエンジンに向けて流出させる。また、複数の調整部は、１又は複数の室のうちの少なくとも１つである対象室に、吸着材と共に配される。そして、複数の調整部は、各調整部の周囲の空間が互いに連通し、且つ、少なくとも１つの対象室の全体に分布した状態で配される。【選択図】図２
2018096254.tif 000002
【特許請求の範囲】
【請求項１】
エンジンを有する車両に搭載され、１又は複数の室を有するキャニスタであって、
燃料蒸気を吸着する粉状又は粒状の複数の物体の集合体であり、前記１又は複数の室の各々に配される吸着材と、
前記車両の燃料タンクから、前記１又は複数の室に前記燃料蒸気を流入させる流入ポートと、
前記車両の外部から、前記１又は複数の室に大気を流入させる大気ポートと、
前記大気ポートから流入した前記大気により、前記吸着材に吸着した燃料蒸気を前記エンジンに向けて流出させる流出ポートと、
前記１又は複数の室のうちの少なくとも１つである対象室に、前記吸着材と共に配された細長い複数の調整部と、
を備え、
前記複数の調整部は、各調整部の周囲の空間が互いに連通し、且つ、前記少なくとも１つの対象室の全体に分布した状態で配される
キャニスタ。
【請求項２】
請求項１に記載のキャニスタにおいて、
前記少なくとも１つの対象室に配された前記吸着材は、予め定められた形状を有する粒状の前記複数の物体の集合体であり、
隣り合う前記複数の調整部の間隔は、前記吸着材に含まれる前記複数の物体の各々のサイズに基づき定められる
キャニスタ。
【請求項３】
請求項１又は請求項２に記載のキャニスタにおいて、
前記少なくとも１つの対象室に配された前記吸着材は、予め定められた形状を有する粒状の前記複数の物体の集合体であり、
前記複数の調整部の各々における側部と、前記少なくとも１つの対象室の壁部との間の距離の最小値は、前記吸着材に含まれる前記複数の物体の各々のサイズに基づき定められる
キャニスタ。
【請求項４】
請求項１から請求項３のうちのいずれか１項に記載のキャニスタにおいて、
前記複数の調整部は、同一又は略同一方向に直線状に延びる
キャニスタ。
【請求項５】
請求項１から請求項４のうちのいずれか１項に記載のキャニスタにおいて、
前記少なくとも１つの対象室の内部空間において、前記大気又は前記燃料蒸気が流下する流下方向に直交する断面を、交差断面とし、
前記複数の調整部における前記交差断面上の複数の断面の面積の総和を、総和断面面積とし、
前記複数の調整部の数、及び、前記複数の調整部の各々の太さは、前記総和断面面積が、前記交差断面の面積の１％以上３０％以下となるように構成されている
キャニスタ。
【発明の詳細な説明】
【技術分野】
【０００１】
本開示は、燃料タンクから発生する燃料蒸気を吸着するキャニスタに関する。
【背景技術】
【０００２】
活性炭等の吸着材が配された複数の室を有するキャニスタが知られている。特許文献１のキャニスタの各室は、隔壁部材により細長い複数の充填通路に区分けされている。これらの充填通路は、燃料蒸気及びパージにより流入した空気（以後、パージエア）が流下する方向に延びている。また、これらの充填通路は、燃料蒸気の吸着材である複数のペレットにより充填されている。各ペレットは、円柱状等の細長い形状を有する。このため、各充填経路に配された各ペレットの間には、隙間が生じる。その結果、燃料蒸気及びパージエアが各室を通過する際の通気抵抗が低減される。
【先行技術文献】
【特許文献】
【０００３】
【特許文献１】特開２００９−１９１６８８号公報
【発明の概要】
【発明が解決しようとする課題】
【０００４】
しかし、特許文献１のキャニスタの各室では、室の側壁付近の複数の充填通路には、燃料蒸気及びパージエアが流入し難い。このため、このような複数の充填通路では、複数のペレットへの燃料の吸着及び脱離が十分に行われなかった。つまり、該キャニスタの各室では、燃料蒸気及びパージエアの流れに偏りが生じていた。このため、燃料の吸着及び脱離が、効率良く行われなかった。
【０００５】
燃料の吸着及び脱離を良好に行いつつ、キャニスタの通気抵抗を抑制するのが望ましい。
【課題を解決するための手段】
【０００６】
本開示の一側面であるキャニスタは、エンジンを有する車両に搭載され、１又は複数の室を有する。キャニスタは、吸着材と、流入ポートと、大気ポートと、流出ポートと、細長い複数の調整部とを備える。吸着材は、燃料蒸気を吸着する粉状又は粒状の複数の物体の集合体であり、１又は複数の室の各々に配される。また、流入ポートは、車両の燃料タンクから、１又は複数の室に燃料蒸気を流入させる。また、大気ポートは、車両の外部から、１又は複数の室に大気を流入させる。また、流出ポートは、大気ポートから流入した大気により、吸着材に吸着した燃料蒸気をエンジンに向けて流出させる。また、複数の調整部は、１又は複数の室のうちの少なくとも１つである対象室に、吸着材と共に配される。そして、複数の調整部は、各調整部の周囲の空間が互いに連通し、且つ、少なくとも１つの対象室の全体に分布した状態で配される。
【０００７】
吸着材は、粉状又は粒状の複数の物体の集合体である。このため、各調整部の付近では、これらの物体の間に隙間が生じ易くなり、他の領域に比べて吸着材の密度が低くなる。これにより、各調整部の付近では、流入ポートから流入した燃料蒸気、及び、大気ポートから流入したパージエアが流れ易くなる。その結果、少なくとも１つの対象室全体として、通気抵抗が抑制される。
【０００８】
また、各調整部の周囲の空間は、互いに連通している。このため、少なくとも１つの対象室では、燃料蒸気及びパージエアの流れの偏りが抑制される。したがって、吸着材により吸着された燃料が、少なくとも１つの対象室全体に分布するように促される。また、パージの際、少なくとも１つの対象室全体にわたって吸着材から燃料が脱離するように促される。
【０００９】
したがって、燃料の吸着及び脱離を良好に行いつつ、キャニスタの通気抵抗を抑制できる。
なお、少なくとも１つの対象室に配された吸着材は、予め定められた形状を有する粒状の複数の物体の集合体であっても良い。そして、隣り合う複数の調整部の間隔は、吸着材に含まれる複数の物体の各々のサイズに基づき定められても良い。
【００１０】
このような構成によれば、各調整部の間に適度な間隔が設けられる。このため、各調整部の間の空間を充填する吸着材の中に、過度に大きい隙間が生じるのが抑制される。したがって、該空間が、吸着材により適度に充填される。
【００１１】
また、少なくとも１つの対象室に配された吸着材は、予め定められた形状を有する粒状の複数の物体の集合体であっても良い。そして、複数の調整部の各々における側部と、少なくとも１つの対象室の壁部との間の距離の最小値は、吸着材に含まれる複数の物体の各々のサイズに基づき定められても良い。
【００１２】
このような構成によれば、各調整部の側部と少なくとも１つの対象室の壁部との間に、適度な間隔が設けられる。このため、各調整部の側部と少なくとも１つの対象室の壁部との間の空間を充填する吸着材の中に、過度に大きい隙間が生じるのが抑制される。したがって、該空間が、吸着材により適度に充填される。
【００１３】
また、複数の調整部は、同一又は略同一方向に直線状に延びても良い。
本開示のキャニスタの製造工程において、まず、少なくとも１つの対象室に複数の調整部を配し、その後に、少なくとも１つの対象室に吸着材を配するという方法が用いられる可能性がある。上記構成によれば、このような方法が用いられた場合、各調整部の周囲が吸着材で充填され易くなる。このため、キャニスタの製造が容易となる。
【００１４】
また、少なくとも１つの対象室の内部空間において、大気又は燃料蒸気が流下する流下方向に直交する断面を、交差断面とする。また、複数の調整部における流下方向に直交する交差断面上の複数の断面の面積の総和を、総和断面面積とする。複数の調整部の数、及び、複数の調整部の各々の太さは、総和断面面積が、交差断面の面積の１％以上３０％以下となるように構成されていても良い。
【００１５】
このような構成によれば、少なくとも１つの対象室において、燃料の吸着及び脱離を良好に行いつつ、通気抵抗を抑制できる。
【図面の簡単な説明】
【００１６】
【図１】図１は、第１実施形態のキャニスタを側方から見た断面図である。
【図２】図２Ａは、第１実施形態の調整部材の斜視図である。図２Ｂは、第１実施形態のキャニスタの第３室の内部空間を概略的に示したIIＢ−IIＢ断面図である。図２Ｃは、ペレットの斜視図である。図２Ｄ〜２Ｈは、調整部材における棒状部の斜視図である。
【図３】図３は、第２実施形態のキャニスタを側方から見た断面図である。
【発明を実施するための形態】
【００１７】
以下、本開示の実施形態について図面を用いて説明する。なお、本開示の実施の形態は、下記の実施形態に何ら限定されることはなく、本開示の技術的範囲に属する限り種々の形態を採りうる。
【００１８】
［第１実施形態］
［キャニスタの構成について］
図１に示す第１実施形態のキャニスタ１は、車両に搭載される。以後、キャニスタ１が搭載された車両を、自車両と記載する。キャニスタ１は、合成樹脂製の容器１０を有する。容器１０は、内部空間を有する第１〜第３室２０〜４０を備える。各室の内部空間には、燃料蒸気を吸着するための吸着材が配される。吸着材は、粉状又は粒状の複数の物体の集合体である。複数の物体とは、例えば、活性炭であっても良いし、活性炭から生成された物体であっても良い。また、複数の物体とは、例えば、活性炭以外の物質であっても良い。
【００１９】
容器１０の一端には、流入ポート１１、流出ポート１２、及び、大気ポート１３が設けられている。流入ポート１１及び流出ポート１２は、第１室２０の内部空間と容器１０の外部とを繋ぐ。また、大気ポート１３は、第３室４０の内部空間と容器１０の外部とを繋ぐ。
【００２０】
流入ポート１１は、自車両の燃料タンクに接続される。燃料タンクには、自車両のエンジンに供給される燃料が蓄積されている。該燃料から生じた燃料蒸気は、流入ポート１１を介してキャニスタ１の内部に流入し、各室に配された吸着材に吸着する。これにより、キャニスタ１の内部に燃料が蓄積される。
【００２１】
また、流出ポート１２は、自車両のエンジンの吸気管に接続されている。また、大気ポート１３は、自車両の外部に繋がっている。そして、エンジンの吸気負圧により、大気ポート１３を介して大気（以後、パージエア）がキャニスタ１の内部に流入する。パージエアの流入により、吸着材に吸着した燃料が脱離する。脱離した燃料は、パージエアと共に流出ポート１２から吸気管に向けて流出する。これにより、活性炭に吸着していた燃料が除去され、活性炭が再生される。このようにして活性炭を再生することは、パージと呼ばれている。
【００２２】
次に、キャニスタ１の構成について詳しく説明する。以後、キャニスタ１の容器１０における流入ポート１１、流出ポート１２、及び、大気ポート１３が設けられた側を、ポート側と記載する。また、容器１０は、ポート側の反対側に開口を有している。該開口は、蓋部材１４により閉鎖されている。以後、ポート側の反対側（換言すれば、蓋部材１４が設けられた側）を、蓋側と記載する。
【００２３】
第１室２０及びその内部空間は、一例として、略直方体形状、又は、円柱状である。該内部空間は、ポート側の端部が、流入ポート１１及び流出ポート１２に繋がっている。また、該内部空間のポート側の端部と蓋側の端部とには、それぞれ、フィルタ２１，２２が配されている。これらのフィルタ２１，２２の間は、吸着材６０が配されている。
【００２４】
また、第１室２０の内部空間は、蓋側の端部が連通路１５に繋がっている。連通路１５は、蓋部材１４に沿って延び、第１室２０の内部空間と第２室３０の内部空間とを繋ぐ。そして、第１室２０の蓋側のフィルタ２２と連通路１５との間には、透過性を有する多孔板２３が配されている。また、多孔板２３と蓋部材１４との間には、コイルばね１６が配されている。コイルばね１６は、多孔板２３をポート側に向けて押し付けている。このため、キャニスタ１の内部では、流体は、連通路１５を介して、第１室２０の内部空間と第２室３０の内部空間とを往来できる。
【００２５】
また、第２室３０及び第３室４０は、第１室２０に隣接して配され、蓋側からポート側に延びる細長い形状を有する。また、第２及び第３室３０，４０は、端部が隣接した状態で、蓋側からポート側に並ぶ。第２室３０の内部空間と第３室４０の内部空間とは、板状の仕切り部材１８により隔てられている。仕切り部材１８は、透過性を有している。仕切り部材１８は、例えば、多孔板及び／又はフィルタ等を含んでいても良い。このため、キャニスタ１の内部では、流体は、仕切り部材１８を通過して、第２室３０の内部空間と第３室４０の内部空間とを往来できる。
【００２６】
また、第２室３０の蓋側の端部、及び、第３室４０のポート側の端部には、それぞれ、フィルタ３１，４１が配されている。そして、これらの室の内部空間におけるフィルタ３１，４１と仕切り部材１８との間には、吸着材６０が配されている。
【００２７】
また、第２室３０の蓋側に配されたフィルタ３１と連通路１５との間には、透過性を有する多孔板３２が配されている。そして、多孔板３２と蓋部材１４との間には、コイルばね１７が配されている。コイルばね１７は、多孔板３２をポート側に向けて押し付けている。
【００２８】
また、第３室４０の内部空間は、ポート側の端部が大気ポート１３に繋がっている。また、第３室４０及びその内部空間は、幅が一定である細長い空間である。第１実施形態では、第３室４０及びその内部空間は、一例として円柱状である。しかし、第３室４０及びその内部空間は、他の形状を有していても良い。一例として、第３室４０及びその内部空間は、多角柱状であっても良い。
【００２９】
［調整部材について］
本開示のキャニスタは、当該キャニスタに設けられた１又は複数の室のうちの少なくとも１つが対象室となる。対象室には、吸着材と共に調整部材５０が配される。第１実施形態では、一例として、第３室４０が対象室となっている。無論、第３室４０に替えて、第１，第２室２０，３０が、対象室であっても良い。また、第１〜第３室２０〜４０のうちの複数が、対象室であっても良い。以下では、第３室４０に配された調整部材５０について説明する。
【００３０】
図１，２Ａ，２Ｂに示すように、第３室４０の内部空間（以後、第３空間４２）には、吸着材６０と共に調整部材５０が配される。調整部材５０は、細長い複数の棒状部５１と結合部５２とを有する。
【００３１】
複数の棒状部５１は、直線状、又は、略直線状に延びる。また、複数の棒状部５１は、同一方向、又は、略同一方向に延びる。より詳しくは、複数の棒状部５１は、第３空間４２のポート側から蓋側に向かう方向、又は、該方向と略同一の方向に延びる。換言すれば、複数の棒状部５１は、パージエア及び燃料蒸気が流下する方向、又は、該方向と略同一の方向に沿って延びる。
【００３２】
また、各棒状部５１は、一例として、図２Ｄのように円柱状となっている。しかし、各棒状部５１は、他の形状であっても良い。具体的には、例えば、各棒状部５１は多角柱状であっても良い。より詳しくは、各棒状部５１は、図２Ｅのように三角柱状であっても良いし、図２Ｆ，２Ｇのように、底面が正方形又は長方形である四角柱状であっても良い。また、各棒状部５１は、例えば、図２Ｈのように底面が楕円である円柱状であっても良い。また、各棒状部５１は、例えば、帯状の形状を有していても良い。
【００３３】
一方、結合部５２は、複数の棒状部５１の一端に設けられ、複数の棒状部５１を一体の部材として結合させる。具体的には、結合部５２は、該一端にて、各棒状部５１の側面同士を繋ぐ。これにより、各棒状部５１の位置及び向きが固定される。また、結合部５２は、第３空間４２におけるポート側に位置する。なお、結合部５２は、第３空間４２の蓋側に位置していても良い。また、結合部５２は、容器１０における第３室４０に相当する部分と一体化されていても良い。
【００３４】
また、各棒状部５１の周囲の空間（換言れば、側方の空間）は、互いに連通した状態となる。すなわち、各棒状部５１は、他の棒状部に対し一定以上の距離を隔てて配されている。このため、第３空間４２には、複数の棒状部５１により囲まれることにより、第３空間４２における他の空間から隔離された状態となる空間が存在しない。
【００３５】
また、複数の棒状部５１は、第３空間４２の全体に分布した状態となる。
すなわち、図２Ｂに示すように、複数の棒状部５１は、第３室４０の長手方向に直交する断面に沿って、均等又は略均等に分布するように配される。また、複数の棒状部５１は、第３空間４２の側面に接する壁部（以後、側壁）から一定以上の距離を隔てた状態で配される。また、複数の棒状部５１は、第３空間４２の幅方向の中央、及び、中央周辺を通過する状態で配される。
【００３６】
また、複数の棒状部５１は、第３空間４２のポート側の端面から、蓋側の端面にわたって延びた状態となる。なお、端面とは、第３空間４２の端部に接する壁部である。すなわち、複数の棒状部５１の一端（換言すれば、結合部５２）は、第３空間４２のポート側の端面（換言すれば、フィルタ４１）に接するか、或いは、端面の付近に位置する。一方、複数の棒状部５１の他端は、第３空間４２の蓋側の端面（換言すれば、仕切り部材１８）に接するか、或いは、端面の付近に位置する。
【００３７】
なお、第３室４０に配される吸着材６０は、予め定められた形状を有する粒状の複数の物体の集合体であっても良い。具体的には、例えば、吸着材６０は、複数のペレットの集合体であっても良い。ペレットとは、粒状の活性炭である。ペレットは、粉状の活性炭をバインダと共に混練し、所定の形状に成形することで生成される。なお、図２Ｃに示すように、第１実施形態では、ペレット６０は、一例として円柱状となっている。そして、ペレット６０の底面の径は、一例として２ｍｍ程度であっても良い。また、ペレット６０の２つの底面の間隔（換言すれば、長さ）は、一例として３〜５ｍｍ程度であっても良い。なお、ペレットは、他の形状を有していても良い。また、第３室４０には、例えば、粉状の活性炭等、ペレット以外の吸着材が配されても良い。
【００３８】
そして、隣り合う複数の棒状部５１の間隔（一例として、図２ＢのＤ０）は、ペレット６０のサイズに基づき定められる。具体的には、該間隔は、例えば、ペレット６０の底面の径、又は、ペレットの長さのいずれかよりも長くても良い。
【００３９】
また、各棒状部５１の側部と第３空間４２の側壁との間の距離（一例として、図２ＢのＤ１）の最小値もまた、ペレット６０のサイズに基づき定められる。具体的には、該最小値は、例えば、ペレット６０の底面の径、又は、ペレットの長さのいずれかよりも長くても良い。換言すれば、複数の棒状部５１のうちの最も外側に位置する１又は複数の棒状部の側面と、第３空間４２の側壁との間の距離は、例えば、ペレット６０の底面の径、又は、ペレットの長さのいずれかよりも長くても良い。
【００４０】
ここで、第３空間４２において、燃料又はパージエア等の流体の流下方向（換言すれば、第３空間４２の蓋側の端面とポート側の端面とが対面する方向）に直交する断面を、交差断面とする。図２Ｂの４２ａは、第３空間４２の交差断面を示している。また、各棒状部５１における交差断面上の複数の断面の面積の総和を、総和断面面積とする。なお、図２Ｂの５１ａは、交差断面４２ａ上の棒状部５１の断面を示している。そして、複数の棒状部５１の数、及び、各棒状部５１の太さは、総和断面面積が、交差断面４２ａの全体面積の１％以上３０％以下となるように構成されていても良い。これにより、第３室４０にて、燃料の吸着及び脱離を良好に行いつつ、通気抵抗を抑制できる。
【００４１】
なお、一例として、図２Ｂに示された交差断面４２ａにおいては、総和断面面積は、交差断面４２ａの全体面積の７．５％程度となっている。
また、第１実施形態では、第３空間４２は、幅が一定である細長い空間である。また、各棒状部５１は、円柱状であり、その幅が一定である。つまり、第３空間４２のいずれの位置に交差断面４２ａを設けたとしても、交差断面４２ａの大きさ、及び、各棒状部５１の断面の大きさは、一定となる。
【００４２】
しかし、第３空間４２の幅、及び／又は、各棒状部５１の幅は、一定でなくても良い。つまり、第３空間４２のどの位置に交差断面４２ａを設けるかによって、交差断面４２ａの大きさ、及び／又は、各棒状部５１の断面の大きさが、変動しても良い。そして、このような場合においても、複数の棒状部５１の数、及び、各棒状部５１の太さは、どの場所に交差断面を設けても、総和断面面積が、交差断面４２ａの全体面積の１％以上３０％以下となるように構成されていても良い。
【００４３】
［効果］
（１）第１実施形態のキャニスタ１では、第３室４０には、吸着材６０と共に調整部材５０が配される。また、第３室４０に配された吸着材６０は、円柱状の複数のペレットの集合体である。このため、調整部材５０における各棒状部５１の付近では、各ペレットの間に隙間が生じ易くなる。つまり、各棒状部５１の付近では、他の領域に比べてペレットの密度が低くなる。これにより、各棒状部５１の付近では、流入ポート１１から流入した燃料蒸気、及び、大気ポート１３から流入したパージエアが流れ易くなる。その結果、第３室４０全体として通気抵抗が抑制される。これにより、燃料タンクへの給油を良好に行うことができる。
【００４４】
ここで、図１に示すように、第３室４０の長手方向の長さをＬ、幅方向の長さをＤと記載する。第１実施形態のキャニスタ１によれば、Ｌ／Ｄが大きくなるように第３室４０を構成しても、通気抵抗を抑制できる。このため、通気抵抗を抑制しながら、流入ポート１１から流入した燃料蒸気をより確実に吸着させると共に、パージの際、吸着材６０に吸着した燃料をより容易に脱離させることが可能となる。
【００４５】
また、各棒状部５１の周囲の空間は、互いに連通している。このため、第３室４０では、燃料蒸気及びパージエアの流れの偏りが抑制される。したがって、吸着材６０により吸着された燃料が、第３室４０全体に分布するように促される。また、パージの際、第３室４０全体にわたって吸着材６０から燃料が脱離するように促される。
【００４６】
したがって、燃料の吸着及び脱離を良好に行いつつ、キャニスタ１の通気抵抗を抑制できる。
（２）また、第１実施形態では、隣り合う複数の棒状部５１の間隔は、ペレットのサイズに基づき定められる。これにより、各棒状部５１の間に適度な間隔が設けられる。その結果、各棒状部５１の間の空間全体に、複数のペレットが行き渡る。このため、該空間を充填する複数のペレットの中に、過度に大きい隙間が生じるのが抑制される。したがって、該空間が、複数のペレットにより適度に充填される。
【００４７】
（３）また、第１実施形態では、複数の棒状部５１の各々における側部と、第３空間４２の側壁との間の距離の最小値は、ペレットのサイズに基づき定められる。これにより、各棒状部５１と該側壁との間に、適度な間隔が設けられる。その結果、各棒状部５１と該側壁との間の空間全体に、複数のペレットが行き渡る。このため、該空間を充填する複数のペレットの中に、過度に大きい隙間が生じるのが抑制される。したがって、該空間が複数のペレットにより適度に充填される。
【００４８】
（４）また、第１実施形態では、複数の棒状部５１は、ポート側から蓋側に向かう方向、又は、該方向と略同一の方向に、直線状、又は、略直線状に延びる。キャニスタ１の製造工程において、まず、第３空間４２に調整部材５０を配し、その後に、第３空間４２に吸着材６０を配するという方法が用いられる可能性がある。上記構成によれば、このような方法が用いられた場合、調整部材５０における各棒状部５１の各々の周囲が、吸着材６０により充填され易くなる。このため、キャニスタ１の製造が容易となる。
【００４９】
（５）また、第１実施形態では、複数の棒状部５１の数、及び、各棒状部５１の太さは、総和断面面積が、第３空間４２の交差断面４２ａの全体面積の１％以上３０％以下となるように構成されている。このため、第３室４０において、燃料の吸着及び脱離を良好に行いつつ、通気抵抗を抑制できる。
【００５０】
［第２実施形態］
次に、第２実施形態のキャニスタ１について説明する。図３に示すように、第２実施形態のキャニスタ１は、第１実施形態のキャニスタ１と同様の構成を有するが、第１，第２室２０，３０を有する点において第１実施形態と相違する。以下では、第１実施形態との相違点を中心に、第２実施形態のキャニスタ１の構成について説明する。
【００５１】
第２実施形態では、大気ポート１３は、第２室３０に設けられる。第２室３０及びその内部空間は、連通路１５から大気ポート１３に延びる細長い形状を有する。そして、第２室３０の内部空間は、ポート側の端部が大気ポート１３に繋がっている。また、第２室３０の蓋側の端部、及び、ポート側の端部には、それぞれ、フィルタ３１，３２が配されている。第２室３０の内部空間における２つのフィルタ３１，３２の間には、吸着材６０が配されている。
【００５２】
また、第２室３０及びその内部空間は、第１実施形態のキャニスタ１の第３室４０及び第３空間４２と同様の形状を有する。つまり、第２室３０及びその内部空間は、幅が一定である細長い空間である。
【００５３】
そして、第２実施形態では、一例として、第２室３０が、吸着材６０と共に調整部材５０が配される対象室となる。なお、第２室３０に替えて、第１室２０が対象室であっても良い。また、第１，第２室２０，３０の双方が、対象室であっても良い。第２室３０に配された調整部材５０は、第１実施形態と同様の構成を有する。また、調整部材５０は、第１実施形態と同様にして、第２室３０に配される。
【００５４】
また、第２実施形態においても、第１実施形態と同様にして、複数の棒状部５１の数、及び、各棒状部５１の太さは、総和断面面積が、第２室３０の内部空間の交差断面の全体面積の１％以上３０％以下となるように構成されていても良い。
【００５５】
［効果］
第２実施形態のキャニスタ１によれば、第１実施形態と同様、燃料の吸着及び脱離を良好に行いつつ通気抵抗を抑制できる。
【００５６】
［他の実施形態］
（１）第１実施形態のキャニスタ１は、３つの室を有する。また、第２実施形態のキャニスタは、２つの室を有する。しかしながら、１つの室、又は、４つ以上の室を有するキャニスタにおいても、少なくとも１つの室を、調整部材５０が配される対象室として構成しても良い。
【００５７】
（２）第１及び第２実施形態のキャニスタ１では、複数の棒状部５１は、燃料蒸気及びパージエアの流下方向に沿って延びた状態で、少なくとも１つの対象室に配される。また、複数の棒状部５１は、直線状又は略直線状に延びる。しかしながら、複数の棒状部５１は、例えば、１か所以上で湾曲又は屈曲した状態で、流下方向に延びていても良い。また、複数の棒状部５１は、例えば、流下方向に螺旋状に延びていても良い。また、複数の棒状部５１は、それぞれ、異なる形状を有していても良い。
【００５８】
また、複数の棒状部５１は、燃料蒸気及びパージエアの流下方向とは異なる方向に沿って延びていても良い。また、複数の棒状部５１の各々が延びる方向は、互いに異なっていても良い。また、複数の棒状部５１の各々は、２種類以上の方向のうちのいずれかに沿って延びていても良い。
【００５９】
なお、このような場合においても、少なくとも１つの対象室に配される吸着材が、予め定められた形状を有する粒状の複数の物体の集合体である場合、隣り合う複数の棒状部５１の間隔は、第１及び第２実施形態と同様、該物体のサイズに基づき定められても良い。また、複数の棒状部の各々における側部と、少なくとも１つの対象室の内部空間の側壁との間の距離の最小値もまた、第１及び第２実施形態と同様、該物体のサイズに基づき定められても良い。また、第１及び第２実施形態と同様、複数の棒状部の数、及び、各棒状部の太さは、総和断面面積が、少なくとも１つの対象室における交差断面の全体面積の１％以上３０％以下となるように構成されていても良い。
【００６０】
（３）第１，第２実施形態における調整部材５０は、複数の棒状部５１を結合部５２により一体化した構成となっている。しかしながら、例えば、複数の棒状部５１は、一体化されない状態で、第１，第２実施形態と同様にして、少なくとも１つの対象室に配されても良い。また、例えば、複数の棒状部５１は、その端部が少なくとも１つの対象室の壁部に取り付けられた状態で、第１，第２実施形態と同様にして配されても良い。
【００６１】
［特許請求の範囲との対応］
第１，第２実施形態の説明で用いた用語と、特許請求の範囲の記載に用いた用語との対応を示す。
【００６２】
調整部材５０における複数の棒状部５１が、複数の調整部の一例に相当する。
【符号の説明】
【００６３】
１…キャニスタ、１０…容器、１１…流入ポート、１２…流出ポート、１３…大気ポート、２０…第１室、３０…第２室、４０…第３室、４２…第３空間、５０…調整部材、５１…棒状部、５２…結合部、６０…吸着材。
【図１】
2018096254.tif 000003
【図２】
2018096254.tif 000004
【図３】
2018096254.tif 000005